(57)【特許請求の範囲】
【請求項１】
セルロースパルプの流れる方向に見て、第一漂白ステップ（Ｄ１）と第二漂白ステップ（Ｄ２）とから成る少なくとも二つの漂白ステップを有し、前記漂白ステップが第一漂白ステップと第二漂白ステップの後に各々配置されたパルプ用の洗浄装置（Ｗ４，Ｗ５）を有し、洗浄薬液と適切な希釈薬液が漂白ラインにおける漂白ステップを介するパルプの流れに対して、主に逆流するように案内される、漂白ラインのセルロースパルプを漂白する方法において、
洗浄薬液の実質的に一部分またはその全てが、主要導管（１）によって供給され、
前記洗浄装置（Ｗ４，Ｗ５）の各一つが、前記主要導管（１）に接続された第一分岐導管（Ｌ１，Ｌ３）によって独立して供給され、
前記洗浄装置（Ｗ４，Ｗ５）の各一つが、前記主要導管（１）に接続された第二分岐導管（Ｌ２，Ｌ４）によって洗浄濾過液を独立して排出し、
前記主要導管が前記洗浄装置（Ｗ４，Ｗ５）からの洗浄濾過液の少なくとも幾分かを排出する出口端部（１０）を有すること、
を特徴とする方法。
【請求項２】
前記主要導管が、定常状態で洗浄液を連続して送る入口端部と、定常状態で前記主要導管から少なくとも幾分かの前記洗浄濾過液を連続して排出する出口端部（１０）とを有することを特徴とする請求項１に記載の方法。
【請求項３】
入口端部と出口端部が、入口と出口の間で主要導管に接続された前記分岐導管を具備する主要導管で向かい合った端部に、配置されることを特徴とする請求項２に記載の方法。
【請求項４】
主要導管が、主に酸性または主にアルカリ性の濾過液を受容し且つ分配するために接続されることを特徴とする請求項１〜３のいずれか一項に記載の方法。
【請求項５】
二つの主要導管があって、一方が主にアルカリ性の濾過液を受容し且つ分配し、他方が主に酸性の濾過液を受容し且つ分配することを特徴とする請求項４に記載の方法。
【請求項６】
主要導管（１）の上流端部における第一分岐位置（Ａ１）の上流に清潔な洗浄液を供給し、且つ主要導管を加圧して、漂白ラインにおけるセルロースパルプの形成流に対して逆方向に主要導管内で基本流を確立する主要加圧装置（Ｐ２０）が備えられ、出口端部（１０）に対して逆の主要導管の端部の適所で、前記加圧装置が主要導管に接続するように配置されることを特徴とする請求項１〜５のいずれか一項に記載の方法。
【請求項７】
前記濾過液が、ポンプ装置（Ｐ２１'、Ｐ２２'）によって主要導管（１）へ案内されることを特徴とする請求項１〜６のいずれか一項に記載の方法。
【請求項８】
主要導管（１）内の圧力が少なくとも0.5バール、大気圧より上の圧力に維持されることを特徴とする請求項１〜７のいずれか一項に記載の方法。
【請求項９】
主要導管内の圧力が定常状態では、３バール以下の圧力の範囲内で大気圧より上に維持されることを特徴とする請求項８に記載の方法。
【請求項１０】
洗浄薬液がポンプ装置（Ｐ２１，Ｐ２２）によって、主要導管から個々の供給ライン（Ｌ１Ａ，Ｌ３Ａ）を介して、各洗浄装置（Ｗ５，Ｗ４）へ案内されることを特徴とする請求項９に記載の方法。
【請求項１１】
漂白ラインの少なくとも一つの位置で希釈液が、主要導管（１）に接続された分岐ライン（Ｌ１Ｂ）を介して直接供給されることを特徴とする請求項９または１０に記載の方法。
【請求項１２】
前記主要導管が定常状態では、３〜２０バールの範囲内で大気圧より上に維持され、好適なモードで洗浄濾過液用の供給ポンプが洗浄濾過液を分配し得ることを特徴とする請求項８に記載の方法。
【請求項１３】
中間漂白ステップ（ＥＯ−ＥＯＰ）が少なくとも二つの漂白ステップの中間に備えられ、中間漂白ステップが前記二つの漂白ステップに比べて逆のｐＨレベルを有し、前記中間ステージに属する洗浄装置（Ｗ３）からの濾過液の少なくとも一部が、主要導管（１）に戻らないことを特徴とする請求項１〜１２のいずれか一項に記載の方法。
【請求項１４】
出口（１０）が、圧力及び／または流量制御弁によって制御されることを特徴とする請求項１に記載の方法。
【請求項１５】
前記圧力及び流力制御弁が、主要加圧装置（Ｐ２０）のフィードバック制御でき、主要導管（１）を介する予定の圧力及び／または流量を確実に生じさせることを特徴とする請求項１４に記載の方法。
【請求項１６】
前記出口における流量が定常状態で、０．１〜１２ｍ３の範囲内であることを特徴とする請求項１５に記載の方法。
【請求項１７】
セルロースパルプの流れる方向に見て、第一漂白ステップ（Ｄ１）と第二漂白ステップ（Ｄ２）から成る少なくとも二つの漂白ステップを有し、前記漂白ステップが第一及び第二漂白ステップの後に個々に配置されたパルプ用の洗浄装置（Ｗ４，Ｗ５）を有し、洗浄薬液と適切な希釈薬液がライン（Ｌ１，Ｌ３；Ｌ１Ａ，Ｌ３Ａ）を介して特に漂白ラインにおける漂白ステップを介したパルプの流れに対して逆流するように案内され、漂白ラインのセルロースパルプを漂白する漂白ラインにおいて、
洗浄薬液の実質的な一部か、またはその全てを供給するに主要導管（１）を配置し、
前記洗浄装置（Ｗ４，Ｗ５）の各々一つが、第一分岐導管（Ｌ１，Ｌ３）によって前記主要導管（１）に独立して接続され、
前記洗浄装置（Ｗ４，Ｗ５）の各々一つが、第二分岐導管（Ｌ２，Ｌ４）によって洗浄濾過液を排出するため前記主要導管（１）に独立して接続され、
そして前記主要導管が、前記洗浄装置（Ｗ４，Ｗ５）からの前記洗浄濾過液の少なくとも幾分かを排出するための出口端部（１０）を具備すること、
を特徴とする漂白ライン。
【請求項１８】
出口端部が主要導管の入口端部と逆側に配置され、入口端部と出口端部（１０）との間に主要導管に接続された前記分岐導管（Ｌ１，Ｌ３；Ｌ２，Ｌ４）を具備することを特徴とする請求項１７に記載の漂白ライン。
【請求項１９】
二つの主要導管を有し、一方が主にアルカリ性濾過液を受容して分配し、もう一方が主に酸性濾過液を受容し分配することを特徴とする請求項１７または１８に記載の漂白ライン。
【請求項２０】
主要導管（１）の上流端部において第一分岐位置（Ａ１）の上流に、主要加圧装置（Ｐ２０）が清潔な洗浄薬液を供給し且つ、主要導管（１）を加圧するために備えられることを特徴とする請求項１７〜１９のいずれか一項に記載の漂白ライン。
【請求項２１】
ポンプ装置（Ｐ２１'，Ｐ２２'）が、前記濾過液を主要導管（１）へ汲み出すため、前記分岐導管（Ｌ２，Ｌ４）の少なくとも一つの中に配置されることを特徴とする請求項１７〜２０のいずれか一項に記載の方法。
【請求項２２】
希釈薬液を分岐ラインの少なくとも一部分に供給するため、主要導管（１）に接続された少なくとも一つの分岐ライン（Ｌ１Ｂ）が配置されることを特徴とする請求項１７〜２１のいずれか一項に記載の分岐ライン。
【請求項２３】
出口（１０）が、圧力及び／または流量制御弁の形をした制御装置によって構成されることを特徴とする請求項１７〜２２に記載の漂白ライン。
【請求項２４】
前記制御装置及び／または前記主要加圧装置（Ｐ２０）が、主要導管（１）内の圧力及び／または流量を制御するため圧力感知装置（ＰＣ）に接続されていることを特徴とする請求項２３に記載の漂白ライン。
【発明の詳細な説明】
【技術分野】
【０００１】
本発明は、セルロースパルプの漂白方法及び漂白方法のための漂白ラインに関するものである。
【背景技術】
【０００２】
セルロースパルプのマルチステージ漂白において、必要な水の量と排出される汚染された処理水の量を減らすことが望まれており、その汚染された処理水は堆積鉢を介して下水に汲み出され得、そして／または経済的に影響のある破壊／蓄積が生じさせられている。
【０００３】
薬液（liquor）の量を減らすことを目的に、漂白部門が常に閉じており、しばしば処理水が漂白ラインの処理ステップにおいてセルロースパルプの流れる方向に対して逆流するように導かれている。それにより、新鮮な水または清潔な処理水が最後のステップの洗浄に使用され、そこで得られた洗浄濾過液が洗浄薬液として、処理ステップ送られ、更に漂白ラインを介して上がる。
【０００４】
洗浄薬液の供給を補償し、洗浄薬液をセルロースパルプの流れに対して確実に逆流させることを目的に、プロセスを介して洗浄濾過液を案内するため、一般的に多数の濾過タンクが各漂白ステップ洗浄装置の間で使用されている。
【０００５】
そのような濾過タンクに加えて、弁を具備した高価な制御及び調整システムが濾過タンク内で洗浄薬液を取り扱うために必要とされ、濾過タンク内のレベルを監視している。それは濾過タンクが空になって、問題となる洗浄ステップの洗浄装置において故障が起こり得るというリスクを負わないようにするためである。
【０００６】
全ての濾過タンクが濾過タンク内の容量変化を安定させるため、換気を必要としているので、濾過タンクの数も結果的に、芳香ガスの出口が増えるというリスクを生じる。たいてい特別な脱ガスシステムが、そのような芳香ガスを取り扱って破壊するために必要とされている。
【０００７】
従って、もしプロセスステップの間の濾過タンクの数を最少にできれば、大きな利点を得ることができる。
【発明の開示】
【発明が解決しようとする課題】
【０００８】
本発明の目的は、そのように高価な濾過タンク、制御システム及び洗浄薬液システムにおける弁の必要性を減らし、場合によって完全に除くことであり、それによって漂白ラインの投資費用をかなり減らすことである。必要な濾過タンクの数を減らすことは結果的に、漂白ラインを一層小型で且つ好適な設計にできることにもなり、少なくとも漂白ステップの数と同じ数から通常成るような考慮を濾過タンクにすることなく、漂白ラインの漂白ステップのレイアウトを一層効果的なものにする。
【０００９】
別の目的は、また常に薬液分配システムの詰まり／故障に関する潜在的なリスクを生じる幾つかの制御弁を取り外して、システムの運転能力／利便性を増すことである。
【００１０】
また別の目的は、濾過タンクの数をかなり減らして、濾過システムにおける空気混入のリスクが相当減らすことにより、運転能力を改善することである。同時に浮遊パルプの蓄積が避けられ、その浮遊パルプは通常一定の運転時間後に、濾過タンク内の表面浮揚（surface flotation）によって蓄積する。主にアルカリステップにおいて、そのように蓄積した浮遊パルプが濾過タンク内の表面の上に数メートルのレベルまで上昇し得、濾過システムを詰まらせるリスクが生じないように、続けて漂白ラインに対する取り扱いを注意するか、リサイクルする必要がある。
【００１１】
また別の目的は、オーバーランと称される特定位置での過負荷により、結果的にガスまたは薬液を排出を生じさせる必要はないので、漂白プラントを環境により優しくできるようにすることである。
【００１２】
更なる目的は、水の消費を最少にすることである。
【００１３】
そのシステムによって、システム自体が様々な漂白ステップにおいて洗浄薬液の要求の時折生じる変化を補正し得、要求される薬液の量が漂白ステップで常に補償されることを確実にする。
【００１４】
また他の目的は、濾過液分配システム内のポンプに於けるエネルギー消費を最少にすることであり、そこでは代わりに加圧濾過液の主導管が保持され、必要な薬液量が必要に応じて主導管から抜き出される。
【００１５】
更に他の目的は、管システムの長さを減らし、それによって設置のコストとシステムの複雑さを減らし、前記の場合にオペレーターにとっての透明度も増すことである。
【発明の効果】
【００１６】
もし本発明が完全に応用されると、中間ステップを備えた四ステップ漂白ラインＤ０−ＥＯＰ−Ｄ１−Ｄ２に関して、1〜2百万米ドルのコスト削減になる。
【発明を実施するための最良の形態】
【００１７】
図１は、通常の従来技術におよる漂白シーケンスＤ０−ＥＯＰ−Ｄ１−Ｄ２を示しており、濾過液が濾過タンクを介して逆流されている。図２は同じ漂白シーケンスＤ０−ＥＯＰ−Ｄ１−Ｄ２を示しており、そこには本発明に関連し、高圧モードを使用した実施例によるステップの間で濾過液が導かれる。図３は図２にも示されている漂白シーケンスの一部を示しているが、低圧モードを利用した本発明による別の実施例である。図４は図２または図３による何らかの漂白シーケンスに関連した別の実施例の一部分を示しており、少し変形させている。
【実施例１】
【００１８】
従来例
図１は従来型の漂白シーケンスＤ０−ＥＯＰ−Ｄ１−Ｄ２が示されており、ステップの間の洗浄装置からの濾過液を、漂白ステップの間で濾過タンクＦＴ１−ＦＴ４を介して逆流させている。
【００１９】
パルプがポンプによって、第一収容タワーから第一洗浄装置Ｗ１へ汲み出され、そこでパルプが清潔な第一濾過液によって洗浄される。図面上で、洗浄プレスタイプの洗浄装置が概略的に示されており、それは二つの逆回転洗浄ドラムを有して、洗浄薬液が両方のドラムでパルプのウエブに供給されるが、次に図面が単に洗浄薬液を洗浄プレスの一つのドラムに供給することを示している。
【００２０】
そのように典型的な漂白システムは洗浄プレスを有し、漂白がリアクターにおいて10〜14％のパルプ濃度で行われ、パルプがリアクター内で処理後、洗浄装置に送られる前にパルプが約5〜10％、典型的に8％まで希釈される。洗浄プレスの後、パルプは20〜35％の濃度、典型的には30％の濃度を有する。
【００２１】
第一洗浄装置Ｗ１の後、洗浄されたパルプがシュートの中に送られて下げられ、シュートではパルプが濾過タンクＦＴ１から汲み出された薬液によって希釈され、そのシュートからパルプがポンプとその次のミキサーＭ１によって、次の漂白ステップ、ここでは上向流タワー（タワー内でパルプが上向きに流れる）として示された第一の二酸化塩素ステップＤ０へ汲み出される。パルプがＤ０漂白タワーへ導かれる前に、漂白ステップ用の化学製品、ＣｌＯ２と酸性化Ｈ２ＳＯ４がミキサーＭ１によって混合される。
【００２２】
Ｄ０漂白タワー内での漂白後、パルプがシュートへ導かれ、シュートではパルプが第一濾過タンクＦＴ１からの濾過液によって希釈される。パルプがシュートから次の洗浄装置Ｗ２へ汲み出され、そこでパルプが第三濾過タンクＦＴ３からの洗浄薬液によって洗浄される。
【００２３】
その後、洗浄装置Ｗ２内で洗浄されるパルプがシュートへ導かれ、シュートではパルプを第二濾過タンクＦＴ２からの濾過液によって希釈し、シュートからパルプがポンプとその次のミキサーＭ２によって、次のアルカリ抽出ステップ、ここでは上向流タンクとして示されたＥＯＰステップへ汲み出される。抽出ステップ用の化学製品、ＮａＯＨと過酸化水素Ｈ２Ｏ２と酸素が、必要に応じてパルプがＥＯＰタワーへ導かれる前に、ミキサーＭ２によって混合される。
【００２４】
抽出タワーＥＯＰで処理した後、パルプがシュートへ導かれ、シュートでは第二濾過タンクＦＴ２からの濾過液によって希釈され、その後パルプが次の洗浄装置Ｗ３へ汲み出される。洗浄装置Ｗ３では、パルプが清潔な濾過液ＦＦ２によって洗浄される。
【００２５】
洗浄装置Ｗ３の後、洗浄されたパルプがシュートへ送られて下がり、シュートではパルプが第三濾過タンクＦＴ３からの濾過液によって希釈され、そこの後にパルプがポンプと次のミキサーによって、次の漂白ステップ、ここでは上向流タワーとして示された第二の二酸化塩素ステップＤ１へ汲み上げられる。Ｄ１漂白ステップ用の化学製品、ＣｌＯ２とｐＨ調整物質（adjuster）がパルプをＤ１漂白タワーへ導く前に、ミキサーによって混合される。選択的に前記シュートに例えばＮａＯＨの追加によって、ｐＨの調整が行うことができる。
【００２６】
Ｄ１漂白タワーにおける処理の後、パルプがシュートへ導かれ、シュートではパルプが第三濾過タンクＦＴ３からの濾過液によって希釈され、その後にパルプが次の洗浄装置Ｗ４へ汲み出される。洗浄装置Ｗ４において、パルプが第四の濾過タンクＦＴ４からの濾過液によって洗浄される。
【００２７】
洗浄装置Ｗ４の後、洗浄されたパルプがシュート送られて下がり、シュートではパルプが第四濾過タンクＦＴ４からの濾過液によって希釈され。その後にパルプがポンプと次のミキサーによって次の漂白ステップ、ここでは上向流タワーとして示されている第三の過酸化水素ステップＤ２へ汲み出される。Ｄ２漂白ステップ用の化学製品、ＣｌＯ２とｐＨの調整物質がパルプをＤ２漂白タワーへ導かれる前にミキサーによって混合される。選択的にｐＨの調整が前記シュートにおいて、例えばＮａＯＨの添加によって行うことができる。
【００２８】
Ｄ２漂白タワーにおける処理の後、パルプがシュートへ導かれ、シュートではパルプが第四の濾過タンクＦＴ４からの濾過液によって希釈され、その後にパルプが次の洗浄装置Ｗ５へ汲み出される。洗浄装置Ｗ５において、パルプが清潔な濾過液ＦＦ３によって洗浄される。
【００２９】
示されている漂白シーケンスＤ０−ＥＯＰ−Ｄ１−Ｄ２によって漂白されたパルプが、次に収容タワー（図示せず）へ導かれ、典型的にISO 80よりも上の明るさを有するようになり、大抵完全に漂白されたパルプはISO 90である。確実に次の処理が排水の特性などに関連してパルプの特性を変えるために使用され得る。
【００３０】
示されている漂白シーケンスの濾過液希釈の要点は、処理ステップの間に濾過タンクが存在し、その濾過タンクが問題となる洗浄装置から濾過液を受け取っていることである。
【００３１】
最後の洗浄装置Ｗ５の濾過タンクＦＴ４が濾過液を収集して、濾過液をポンプによって漂白ラインを介するパルプの流れに対して逆流させ、前の位置で希釈又は洗浄薬液として使用される。対応する方法で、洗浄装置Ｗ４、Ｗ３、Ｗ２からの濾過液を濾過タンクＦＴ３、ＦＴ２及びＦＴ１で個々に収集して、ポンプによって漂白ラインを介するパルプの流れに対して濾過液を逆流させている。
【００３２】
確実に循環では、好ましくない物質の含有量が増加するのを避けるため、濾過タンクＦＴ１及びＦＴ２から送られる際に示したように、一定分量の濾過液も流れ出、その流出分はより清潔な濾過液ＦＦ１及びＦＦ２を供給することによって補償されている。濾過液の流出は主に漂白ラインからの排出である。この逆流濾過液の分配時に、アルカリ性濾過液が酸（acidic）から分離される。従ってＥＰＯステップからのアルカリ性濾過液が濾過液タンクＦＴ２で収集され、酸性濾過液が洗浄装置Ｗ３において使用されないが、代わりに清潔な濾過液ＦＦ２が使用される。確実な応用例で、上流でそのようなアルカリ性濾過液が酸素脱リグニン後に送られ得、酸素脱リグニン後に洗浄装置で洗浄薬液として使用される。
【００３３】
濾過タンクＦＴ４、ＦＴ３及びＦＴ１において収集された酸性濾過液に関して、洗浄薬液がパルプの流れに対して、すなわちＦＴ４からＦＴ３へそして最後にＦＴ１へ正確に逆流させられ、酸性濾過液が主にソーダ回収ボイラーを破壊する塩素の含有量が多いことにより、それによって回収システムで取り扱いできなくなるので、酸性濾過液が漂白部門から流れ出ている。
【実施例２】
【００３４】
本発明の好ましい実施例
図２は、本発明の実施例を示しており、同じ漂白シーケンスが図１に関して記載／示したように行われるが、本発明による濾過液分配システムでは多数の濾過タンクの代わりに、全ての酸漂白ステップ用に結合主導管１に取り替えられている。
【００３５】
従って本発明によると、セルロースパルプの漂白が漂白ラインにおける少なくとも二つの漂白ステップを有した漂白ラインにおいて行われ、セルロースパルプの流れる方向に見て、連続する第一漂白ステップＤ１と第二漂白ステップＤ２を含む何らかのポイントで、それらの漂白ステップが第一及び第二ステップの後にパルプ用の洗浄装置Ｗ４及びＷ５を配置して個々に有している。図２に示したように、洗浄薬液及び希釈薬液が主に主要導管１を通り、漂白ラインの漂白ステップを介するパルプの流れに対して逆流させられ、そのパルプの流れ（太い矢印が流れのライン）がシーケンスＷ１−Ｄ０−Ｗ２−ＥＯＰ−Ｗ３−Ｄ１−Ｗ４−Ｄ２−Ｗ５を通過する。
【００３６】
洗浄薬液が、濾過タンクＦＴ２からポンプＰ２０によって、漂白ラインと平行に配置された主要導管１へ供給される。この実施例によると、ポンプＰ２０が主要導管１の第一分岐部分Ａ１において約5〜6バールの圧力を維持している。この分岐位置Ａ１において洗浄薬液と希釈薬液（使用される洗浄設備の種類の依存して、希釈薬液が分配され得る。図２に示されている場合、即ち洗浄プレスを使用する場言い、例えばもし圧力ディフューザーが使用されていても、それに係わらず両方の薬液を供給する必要がある）が、主要導管の第一分岐位置Ａ１から、第二漂白ステップＤ２の次の洗浄装置Ｗ５に至りＬ２に取り入れられる。第二漂白ステップＤ２の洗浄装置Ｗ５からの洗浄濾過液の少なくとも一部が、そしてＬ２に入って主要導管１の第二分岐位置Ａ２へ導かれる。洗浄薬液及び希釈薬液が、主要導管１の第三分岐位置Ａ３から、Ｌ３を介して第一漂白ステップＤ１の洗浄装置Ｗ４に至り、そして洗浄装置Ｗ４からの濾過液が、Ｌ４を介して主要導管１の第四分岐位置Ａ４へ導かれる。ここで分岐位置Ａ１〜Ａ４について主要導管１を流れる方向に見ると、最初に配置された第一分岐位置Ａ１で主要導管に接続され、その後に続いて第二分岐位置から第四分岐位置Ａ２〜Ａ４で接続して、開口連通部が分岐位置Ａ１〜Ａ４の間の主要導管に設けられる。従って、主要ポンプＰ２０が導管内で主要な薬液を加圧し、漂白ラインにおけるセルロースパルプの形成流に対して逆方向に、主要導管における基本流を画定する。例えば漂白ラインで最後に配置された洗浄装置Ｗ５に供給するラインＬ１を参照すると、主要導管１内で加圧することにより、個々の洗浄プレスに供給する各々の分岐ラインを介して洗浄薬液を供給するために、付属ポンプを使用する必要がない。この要点は、主要ラインに接続された全ての供給ラインＬ３、Ｌ５及びＬ７に応用されている。しかし回帰ラインＬ２、Ｌ４及びＬ６に関して、充分な圧力に達しすると、それを主要ラインに再度取り入れできるように、ポンプＰ２１’、Ｐ２２’、Ｐ２３’を必要とする。
【００３７】
一例として、約１０〜１２ｍ３／ｈが各供給ラインＬ１、Ｌ３、Ｌ５、Ｌ７を介して各洗浄装置Ｗ５、Ｗ４、Ｗ３、Ｗ１に加えられると仮定する。通常、この量の約１〜２ｍ３が実際の洗浄のための洗浄プレスに、上部ラインを介して供給され、約９〜１０ｍ３が洗浄プレスＷ５の後に希釈薬液として直接供給される。
【００３８】
従来の漂白ステップＤ２において化学製品の追加と幾分かの繊維損失により、ラインＬ２を介して主要導管１へ戻る際に洗浄装置Ｗ５から得られる流量が、Ｌ１を介して供給される量よりも幾分か多い。従って、主要導管内を流れる液体の次の追加がその下流で行われる。最後の洗浄装置Ｗ５からの濾過液の幾分かが、供給ラインＬ３の中に加えられ、最後の前の洗浄装置Ｗ４に入ることは明かである。液体／化学製品／繊維の次の添加により、主要導管の端部の近くの流れが入口で加えられるよりも約１〜２ｍ３／ｈ多くなる。約１０〜１２ｍ３／ｈも下流端部１０の分岐ポイントＡ７で供給ラインＬ７を介して供給されるので、その端部出口１０で約０．１〜２ｍ３／ｈ（動作中）に到達する。この例が本発明の範囲を制限するものではないが、例えば洗浄設備、製造レベル、漂白の種類、繊維の種類など、排出の量／流れに影響するものを、多数変えられることは当該業者には明らかである。
【実施例３】
【００３９】
図３には本発明による別の実施例が示されており、低圧の主要導管１が使用されている（プロセスが図２に示されているものと同じなので、漂白ラインが単に示されている。従って、図３に示された主要導管の上流部分に関して示されているのと同じ要所が下流部分にも応用されている）。そのような実施例では、約1〜2バールの圧力が主要導管１内で維持される。図３に示したように、洗浄装置にその個々のラインＬ１Ａ、Ｌ３Ａなどを介して必然的に供給される洗浄液を加圧するために、ポンプＰ２１、Ｐ２２を使用する必要がある。しかし希釈液が気圧添加ポイント（atmospheric addition point）で供給されるので、その液体のために供給ラインＬ１Ｂ及びＬ３Ｂ用のポンプを使用する必要がない。従って、それら供給ラインＬ１Ｂ、Ｌ３Ｂの各々に別々の分岐位置Ａ１’、Ａ３’が配置されている。更に次に漂白タワーに直結した各直立パイプＳＰ９、ＳＰ７が、ポンプを必要としないでそのラインＬ３Ｃ、Ｌ４Ｃを介して供給することを示している。この実施例でも、濾過液を加圧して主要導管１の中に戻すためにポンプ２１’、Ｐ２２’は必要である。更に主要導管内で所望の圧力に到達させるための変形例を示しており、そこではポンプをハイタワーＦＴ２とレベル制御部ＬＣに交換することによって、レベル制御部ＬＣはタワーＦＴ２内のレベルを所望のレベルに保持するため、出口からの出流（１０、図示せず）及び／またはＬ０からの入流を調節することによって、圧力を制御する。別の概念の全てについて、この実施例は図２に関連して記載した機能に類似ている。しかし本発明は二つの漂白ステップ、例えば図３に示されたようなＤ１及びＤ２に関してだけ良好に使用され得ることを理解できよう。
【００４０】
図４には図３のような漂白ラインの一部が概略的に示されており、濾過タンクＦＴ３が本発明による漂白ライン内で使用され得る。更に主要導管１内で圧力を平衡にするため、圧力緩衝タンクＦＴ４が使用されている。多数の濾過タンクが使用されており、それら濾過タンクが比較的制限されたサイズ、例えば1m3、約500リットルであり得る。タンクＦＴ３が好ましくは相対的に低いレベルに配置されているので、記載のように、ポンプＰ２１’は通常配設され得ないで、好ましくは圧力容器ではない。たいてい洗浄装置Ｗ５からタンクＦＴ３へ濾過液を供給するために、別のポンプＰ２１’’が使用されることも明かである。
【００４１】
別の主要導管１’が他のアルカリ度（ｐＨ７よりも上か下）の漂白ステップに対し適切に使用され得ることは明かである。従って（例えば図２のような）一方の主要導管が多くの酸ステップに使用され、他方の主要導管が多数のアルカリステップ（示さず）に使用され得る。
【００４２】
少なくとも一つの追加漂白ステップＤ０が、セルロースパルプの流れる方向に見て第一及び第二漂白ステップＤ１、Ｄ２の前に個々に備えられ、その追加漂白ステップＤ０の後にパルプ用の洗浄装置Ｗ２がある。そして洗浄薬液と希釈薬液が、主要導管１における第五分岐位置Ａ５から追加漂白ステップの次の洗浄装置Ｗ２へ取り入れられる。追加漂白ステップの次の洗浄装置Ｗ２からの洗浄濾過液の少なくとも一部が、第六分岐位置Ａ６へ導かれ主要導管の中に入る。それら分岐位置は、主要導管１における流れの方向に見て、第四分岐位置Ａ４の後に配置された第五分岐位置Ａ５で、その後に第六分岐位置Ａ６で主要導管に接続され、開口連通が分岐位置Ａ１〜Ａ６の間に確立する。
【００４３】
アルカリ抽出ステップ、ＥＯＰまたは別に過酸化水素の投入がないＥＰステップが、本質的に通常の方法で、漂白ラインを介するセルロースステップの流れる方向に見て、追加漂白ステップＤ０の後と第一漂白ステップＤ１の前に配置され、洗浄装置Ｗ３が抽出ステップＥＯＰの後に配置される。抽出ステップの次の洗浄装置Ｗ３からの洗浄濾過液が、濾過タンクＦＴ１において収集できて、抽出ステップの前に希釈薬液として適切に使用され、洗浄濾過液の一部が必要ならば漂白ラインから下水管１１へ引き出されるか、または酸素脱リグニンステップへ向かって導くことができる。図２で示したように、（漂白ラインを介してセルロースパルプが流れる方向に見て）追加漂白ステップＤ０の前にセルロースパルプが洗浄装置Ｗ１にて洗浄され、希釈薬液が主要導管の第七分岐位置Ａ７からＬ７を介して洗浄装置Ｗ１へ至る。この洗浄装置Ｗ１への洗浄薬液が、新鮮な洗浄薬液として分離ラインＬ０から得られる。
【００４４】
示されている実施例によると少なくとも二酸化塩素または、漂白ステップを通して影響を及ぼさない何か別の漂白化学製品が、漂白ステップＤ０、Ｄ１及びＤ２において活性漂白剤（active bleaching agent）として使用され、その二酸化塩素が各々の漂白装置Ｍ１、Ｍ３及びＭ４の個々の漂白ステップの前に、パルプに加えられる。
【００４５】
主要導管１の下流端部に出口１０が備えられ、そこから洗浄薬液と濾過液が引き出せるようになっており、そこに何らかの制御装置がある。好ましくは、出口が流量制御弁ＦＣによって制御され、その制御弁を通常動作中に一定の基本流量及び／または濾過液の所望の排出レベルを確定できる。ポンプＰ２０圧力調整器ＰＣによって適切に制御され、圧力調整器ＰＣは主要導管１の全体を通して所望の予定圧力及び／または流量を確実に実行するため、主要ポンプ装置Ｐ２０をフィードバック制御できる。適切には、流量制御弁が主要導管内の圧力を維持する間は出口１０に対する所望の流量を確定できる。別の実施例では、流量制御弁ＦＣが弁にわたって高い圧力降下を生じさせる固定または可変スロットル弁でもよい。
【００４６】
本発明によると、漂白ラインがセルロースパルプの漂白のために備えられ、セルロースパルプの流れる方向に見て、個々に第一漂白ステップＤ１と第二漂白ステップＤ２から成る少なくとも二つの漂白ステップを有しており、その漂白ステップは各第一及び第二漂白ステップの後に配置されたパルプ用の洗浄装置Ｗ４及びＷ５を有し、洗浄薬液と適切な希釈薬液が主に漂白ラインにおける洗浄装置を介したパルプの流れに対して逆流するように導かれる。
【００４７】
好ましくは漂白ラインが少なくとも一つの追加漂白ステップＤ０も含んでおり、追加漂白ステップはセルロースパルプの流れる方向に見て、第一及び第二漂白ステップＤ１及びＤ２の前に配置されている。追加漂白ステップＤ０の後に、パルプ用の洗浄装置Ｗ２が配置されている。洗浄薬液と希釈液の少なくとも一つの薬液が、主要導管１における第五分岐位置Ａ５から追加漂白ステップの次の洗浄装置Ｗ２に至り、追加漂白ステップの次の洗浄からの洗浄濾過液の少なくとも一部が、主要導管１の第六分岐位置Ａ６へ導かれる。分岐位置Ａ５〜Ａ６が主要導管を流れる方向に見て第四分岐位置Ａ４の後に配置された第五分岐位置Ａ５で、続いてその後で第六分岐位置Ａ６で、主要導管１に接続し、開口連通が分岐位置Ａ１〜Ａ６の間の主要導管で確定される。
【００４８】
抽出ステップは示されているように、好ましくはＥＯＰまたはＥＯタイプの漂白ラインに配置され得、それは漂白ラインを介するセルロースパルプの流れる方向に見て、追加漂白ステップＤ０の後と第一漂白ステップＤ１の前に配置され、更に洗浄装置Ｗ３が抽出ステップの後に配置されている。抽出ステップの次の洗浄装置Ｗ３からの洗浄濾過液が、導管を介して濾過タンクＦＴ１へ導かれ、濾過タンクからの濾過液が少なくとも部分的に、追加漂白ステップＤ０に続く洗浄ステップＷ２の後に希釈薬液として、ポンプＰ３０を介して案内され、この洗浄濾過液の一部が必要な時、好ましくは濾過タンクＦＴ１からの出口を介してプロセスから引き出すことができる。図面に示されているように、濾過タンク内の薬液の一部をＥＯＰリアクターの後のシュートで希釈薬液としても使用され得る。
【００４９】
漂白ラインにおいて、漂白ラインを介してセルロースの流れる方向に見て、セルロースパルプが洗浄装置Ｗ１にて適切に洗浄され、この洗浄装置Ｗ１に対して洗浄薬液と希釈薬液の少なくとも一つが、主要導管１の第七分岐位置Ａ７から洗浄装置Ｗ１へポンプ装置Ｐ２４とそれに関連する管を介して導かれる。もし収容タワーＳＴ内のパルプが酸性であれば、洗浄装置Ｗ１の中とその後の洗浄薬液と希釈薬液の両方が個々に主要導管から得ることができる。しかしもし収容タワー内のパルプがアルカリであれば、より一層清潔な濾過液または清潔な濾過液が洗浄装置Ｗ１において洗浄薬液として使用される。清潔な濾過液の使用が図２に示されている。
【００５０】
漂白ラインの漂白ステップＤ０、Ｄ１、Ｄ２において、例えば二酸化塩素が活性漂白剤または、キレート試薬剤、ｐＨ調整物質または同じ追加の漂白化学製品のように漂白ステップを通じて影響されない幾つか別の漂白化学製品として投入され、二酸化塩素または漂白化学製品が各漂白装置Ｍ１、Ｍ３及びＭ４の個々の漂白ステップの前に、パルプに加えられる。
【００５１】
分岐ポイントＡ１〜Ａ７の後を見ると主要導管１の端部に、出口１０が備えられており、そこから洗浄薬液及び濾過液を主要導管から引き出すことができる。適切には出口１０が、圧力及び／または流量を制御する制御弁ＰＣ及び／またはＦＣによって上記のように制御される。
【００５２】
本発明は本願請求項の範囲内で、多くの方法により変えることができる。連続する洗浄装置で、洗浄濾過液と希釈及びまたは洗浄薬液を受け取る結合主要導管を有する漂白ステップが、例えば全てアルカリタイプであるか、または問題となる漂白化学製品が互いに影響しない／混合可能であり得る。マルチステージ漂白シーケンにおいて、主要導管が二つかそれ以上のステップからのアルカリ性濾過液に使用され得、別の主要導管が二つかそれ以上の酸ステップにより酸性濾過液に使用されてもよい。
【００５３】
図２に示された実施例において、ポンプＰ２１〜Ｐ２４が主要導管からの送り導管に配置されている。別の実施例では、強力なポンプが各々の分岐ポイントＡ２、Ａ４、及びＡ６に接続した回帰導管に接続しており、その様な場合には主要ポンプＰ２０によって、主要導管全体を加圧する。主要導管内で4バールで圧力が生じることよって、希釈及び／または洗浄薬液用の送り導管のポンプが、普通に取り除くことができる。洗浄後に希釈薬液の供給が普通は約1バールの非常に低い圧力を必要としており、それは希釈薬液の供給のために推力を必要とするからである。通常、希釈薬液が気圧希釈スクリュー（atmospheric dilution screw）に供給され、約３０％の高濃度の毛羽状パルプ（fluffed-up pulp）が、希釈薬液と混合され、次の汲み出しに適した濃度になる。従って薬液の供給に必要なのは低い圧力である。
【００５４】
また別の実施例において、送り希釈水にとって充分な約1バールの基本圧力が主要導管に確立され得るが、そこでは洗浄薬液用の送り導管に供給ポンプが備えられている。
【００５５】
通常、洗浄薬液が洗浄プレスにおける収束洗浄スロットにより高い圧力で加えられ、それは通常、少なくとも2〜4バールの洗浄薬液圧力がこの位置で必要とされる。
【００５６】
追加の予防方法として、特に構造的な理由で分岐位置が互いに近づいている場合、濾過液を主要導管へ回収し、希釈及び／または洗浄薬液を問題となる洗浄装置へ送る分岐位置の間にチェック弁が備えてもよい。好ましくは主要導管の第一端部から見た方向に、主要導管の全ての分岐ポイントの間で、濾過タンクＦＴ２と接する主要導管の第一端部から入口１０と接する主要導管の第二端部まで、主要導管にある全ての分岐ポイントの間に開口連通が確立されるが、これは弁が主要導管１に配置され得ることをなくすものではない。
【００５７】
当然洗浄プレスとは別の洗浄装置を使用してもよい。次の漂白ステップに持ち越す化学製品に対するさほど重要でない要求について、普通のフィルターまたはシンプルな（洗浄のない）プレスを当然使用してもよく、フィルターまたはシンプルなプレスからの濾過液が主要導管へ導かれ、フィルターまたはプレスの前に任意の希釈薬液が主要導管から得られる。また、フィルターのような洗浄プレスまたは洗浄装置のないシンプルなプレスが、結合主要導管に接続され得る。
【００５８】
更に当業者にとって、主要導管１に接続された少なくとも二つの漂白ステップが、同じ漂白ラインに沿ってそれらの間の（複数の）中間位置に、一つかそれ以上の接続されていない漂白ステップを有することは理解されよう。
【００５９】
補助設備、例えば（複数の）濾過タンク、弁、そのような設備はもし発明者が好適な方法で使用しても、大部分が余分である考えられているにも係わらず、本発明と共に一定の応用例で使用され得ることも明らかである。更に、本発明の好適な実施例が全ての主要導管内で開口連通を行うにも係わらず、主要導管の一部または複数の部分が（断続的または一時的に）、例えば（複数の）弁によってその連通を遮断され得る状態、応用例がある。
【００６０】
最後に、主要導管の伸長部が変化し得て、例えば直線状と／または曲線状と／または幾つかの湾曲状（例えば９０°）などになって、漂白ラインにおける部材の位置に依存して、別々の場所において異なる要求に合わせることは理解されよう。
【００６１】
異なる位置における加圧が、ポンプとは別の手段、例えばポンプＰ２０の代わりにタワーによって行われるか、主要導管を高く上げる配置を利用して、所望の圧力（静的圧力）を与える。
【図面の簡単な説明】
【００６２】
【図１】従来技術による漂白シーケンスＤ０−ＥＯＰ−Ｄ１−Ｄ２。
【図２】本発明による漂白シーケンスＤ０−ＥＯＰ−Ｄ１−Ｄ２
【図３】図２の漂白シーケンスに低圧モードを利用した本発明による別の実施例の一部分。
【図４】図２または図３による漂白シーケンスに関連した本発明による別の変形実施例の一部分。
【図１】
0004677236.tif 000002
【図２】
0004677236.tif 000003
【図３】
0004677236.tif 000004
【図４】
0004677236.tif 000005